(57)【要約】【課題】単純な構成で部品点数の少ないフレキシブルフラット回路体用の屈曲可能プロテクタを提供すること。【解決手段】帯板状のフレキシブルフラット回路体１０に沿って一列に配列され、その状態でフレキシブルフラット回路体１０に装着されることで、屈曲可能な連鎖状に連結される多数のブロック１００を備え、各ブロック１００の両側部に、該ブロック１００の片面上に載置されたフレキシブルフラット回路体１０の両側縁を係合させる係合爪１１４が設けられると共に、各ブロック１００の片面上の中央に、該片面上に載置されたフレキシブルフラット回路体１０の絶縁体に穿設した係止孔１５を係合させる突起１１５が設けられている。【選択図】図１
2009060732.tif 000002
【特許請求の範囲】
【請求項１】
保護しようとする帯板状のフレキシブルフラット回路体に沿って一列に配列され、その状態で前記フレキシブルフラット回路体に装着されることで、屈曲可能な連鎖状に連結される多数のブロックを備え、
前記ブロック各々には、該ブロックの片面上に載置された前記フレキシブルフラット回路体と係合する係合機構が設けられていることを特徴とするフレキシブルフラット回路体用屈曲可能プロテクタ。
【請求項２】
前記係合機構が、
前記ブロックの片面上に載置された前記フレキシブルフラット回路体の両側縁と係合するために前記ブロック各々の両側部に形成された係合爪と、
前記フレキシブルフラット回路体の絶縁体に穿設した係止孔と係合するために前記ブロック各々の片面上の中央に形成された突起と、
を有することを特徴とする請求項１に記載したフレキシブルフラット回路体用屈曲可能プロテクタ。
【請求項３】
前記ブロック各々は、隣接する前記ブロックの辺同士を密着させて一列に配列できるよう、長方形の平板状に形成されていることを特徴とする請求項１または請求項２に記載したフレキシブルフラット回路体用屈曲可能プロテクタ。
【発明の詳細な説明】
【技術分野】
【０００１】
本発明は、フレキシブルフラット回路体用の屈曲可能プロテクタに関するものである。
【背景技術】
【０００２】
ＦＰＣ（Flexible Printed Circuit）、ＦＦＣ（Flexible Flat Cable）、リボン電線、等のフレキシブルフラット回路体を保護するための屈曲可能プロテクタとして、図３に示すものが知られている（例えば、特許文献１参照）。
【０００３】
このプロテクタは、図３（ａ）に示すように、多数の角筒形のブロック２００を、ヒンジ２０５で屈曲自在に連結して連鎖状になし、内部にフレキシブルフラット回路体１０を収容するようにしたものであり、ヒンジ２０５は、（ｂ）に示すように、各ブロック２００に設けたブラケット２０１、２０２の孔にピン２０３を通すことで構成されている。
【０００４】
【特許文献１】特開平９−３２２３５６号公報
【発明の開示】
【発明が解決しようとする課題】
【０００５】
ところで、図３に示した従来のプロテクタは、ブロック２００同士を、ピン２０３とブラケット２０１、２０２で構成したヒンジ２０５によって連結しているので、各ブロック２００の構成が複雑になる上、部品点数が多くなるという問題があった。
【０００６】
本発明は、上述した事情に鑑みてなされたものであり、その目的は、単純な構成で部品点数の少ないフレキシブルフラット回路体用の屈曲可能プロテクタを提供することにある。
【課題を解決するための手段】
【０００７】
前述した目的を達成するために、本発明に係るフレキシブルフラット回路体用屈曲可能プロテクタは、下記（１）〜（３）を特徴としている。
（１）  保護しようとする帯板状のフレキシブルフラット回路体に沿って一列に配列され、その状態で前記フレキシブルフラット回路体に装着されることで、屈曲可能な連鎖状に連結される多数のブロックを備え、
前記ブロック各々には、該ブロックの片面上に載置された前記フレキシブルフラット回路体と係合する係合機構が設けられていること。
（２）  上記（１）の構成のフレキシブルフラット回路体用屈曲可能プロテクタにおいて、
前記係合機構が、
前記ブロックの片面上に載置された前記フレキシブルフラット回路体の両側縁と係合するために前記ブロック各々の両側部に形成された係合爪と、
前記フレキシブルフラット回路体の絶縁体に穿設した係止孔と係合するために前記ブロック各々の片面上の中央に形成された突起と、
を有すること。
（３）  上記（１）または（２）の構成のフレキシブルフラット回路体用屈曲可能プロテクタにおいて、
前記ブロック各々は、隣接する前記ブロックの辺同士を密着させて一列に配列できるよう、長方形の平板状に形成されていること。
【０００８】
上記（１）の構成の屈曲可能プロテクタによれば、フレキシブルフラット回路体によってブロック同士を屈曲可能に連結しているので、ヒンジ手段を構成する要素が不要であり、ブロックの構成を簡略化できると共に、部品点数を削減することができる。また、フレキシブルフラット回路体を屈曲させた場合は、フレキシブルフラット回路体の屈曲に追従して、連鎖状に連結されたブロックが自由に屈曲するので、屈曲箇所においても、フレキシブルフラット回路体を安全にプロテクタで保護することができる。その際、ブロックに設けた係合機構は、フレキシブルフラット回路体とブロックの一体性を保つことができる。
上記（２）の構成の屈曲可能プロテクタによれば、ブロックに設けた係合爪がフレキシブルフラット回路体のブロックからの抜け出しを防止し、そしてブロックに設けた突起がフレキシブルフラット回路体のブラケットに対する位置ズレを防止する機能を果たすため、フレキシブルフラット回路体とブロックの一体性をより確実に保つことができる。
上記（３）の構成の屈曲可能プロテクタによれば、ブロックを長方形の平板状に形成したので、辺同士を密着させた状態で一列に隙間なくブロックを配列することができ、それにより、独立したブロックを単純に繋げたものであっても、ブロック同士の繋がりに安定性を持たせることができ、フレキシブルフラット回路体に対する保護性能を高めることができる。
【発明の効果】
【０００９】
本発明によれば、ブロックの構成を簡略化することができると共に、部品点数を削減することができる。
【００１０】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１１】
以下、本発明に係る好適な実施形態を図面に基づいて詳細に説明する。
【００１２】
図１（ａ）は実施形態の屈曲可能プロテクタをフレキシブルフラット回路体に装着した状態を示す斜視図、図１（ｂ）は同プロテクタを構成する１個のブロックに対してフレキシブルフラット回路体を係合させる箇所を示す斜視図、図２（ａ）はプロテクタを装着したフレキシブルフラット回路体を直線状に保ったときの側面図、そして図２（ｂ）は屈曲状態にしたときの側面図である。
【００１３】
このプロテクタは、保護しようとする帯板状のフレキシブルフラット回路体１０に沿って一列に配列され、その状態でフレキシブルフラット回路体１０に装着されることで、屈曲可能な連鎖状に連結される多数のブロック１００により構成されている。
【００１４】
各ブロック１００は、隣接するブロック１００の辺同士を密着させて一列に配列できるよう、長方形の平板状の本体１１０を有しており、その本体１１０の片面の両側部には、該本体１１０の片面上に載置されたフレキシブルフラット回路体１０の両側縁を係合させるための係合爪１１４が、係合機構の一部を形成するものとして設けられている。係合爪１１４は、その下の凹部１１４ａにフレキシブルフラット回路体１０の両側縁を嵌め込めるようにしたもので、フレキシブルフラット回路体１０の幅寸法に対応した間隔をもって一対設けられている。但し、フレキシブルフラット回路体１０の屈曲の際に支障とならないよう、ブロック１００の本体１１０の長さに対して小さく形成されている。また、各ブロック１００の本体１１０の片面上の中央には、該片面上に載置されたフレキシブルフラット回路体１０の絶縁体に穿設した円形の係止孔１５を係合させるための円柱状の突起１１５が、係合機構の一部を形成するものとして設けられている。この突起１１５と係合爪１１４は、フレキシブルフラット回路体１０の屈曲の際に支障とならないように、ブロック１００の本体１１０の長さ方向（屈曲方向）のほぼ同じ位置に配置されている。
【００１５】
このプロテクタを使用する場合は、フレキシブルフラット回路体１０の両側縁を係合爪１１４に係合させると共に、フレキシブルフラット回路体１０の係止孔１５を突起１１５に係合させることで、一列に配列したブロック１００をフレキシブルフラット回路体１０に順次装着し、隣接するブロック１００の本体１１０の辺同士を密着させる。
【００１６】
このようにすることで、多数のブロック１００をフレキシブルフラット回路体１０によって屈曲可能に連鎖状に連結することができると共に、フレキシブルフラット回路体１０を多数のブロック１００を備えるプロテクタによって保護することができる。しかも、この状態で、フレキシブルフラット回路体１０を内側（ブロック１００を装着した側と反対側）に屈曲させた場合、ブロック１００がフレキシブルフラット回路体１０の屈曲に柔軟に追従するので、屈曲箇所を安全に保護することができる。
【００１７】
以上のように、この屈曲可能プロテクタによれば、フレキシブルフラット回路体１０によってブロック１００同士を屈曲可能に連結しているので、従来のようにヒンジ手段を構成する要素が不要であり、ブロック１００の構成を簡略化できると共に、部品点数を削減することができる。
【００１８】
また、フレキシブルフラット回路体１０を屈曲させた場合は、フレキシブルフラット回路体１０の屈曲に追従して、連鎖状に連結されたブロック１００が自由に屈曲するので、屈曲箇所においても、フレキシブルフラット回路体１０を安全にプロテクタで保護することができる。その際、ブロック１００に設けた係合爪１１４は、フレキシブルフラット回路体１０のブロック１００からの抜け出しを防止し、突起１１５は、フレキシブルフラット回路体１０のブラケット１００に対する位置ズレを防止する機能を果たすため、フレキシブルフラット回路体１０とブロック１００の一体性を保つことができる。
【００１９】
また、ブロック１００の本体１１０を長方形の平板状に形成しているので、辺同士を密着させた状態で一列に隙間なくブロック１００を配列することができ、それにより、独立したブロック１００を単純に繋げたものであっても、ブロック１００同士の繋がりに安定性を持たせることができ、フレキシブルフラット回路体１０に対する保護性能を高めることができる。
【００２０】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【図面の簡単な説明】
【００２１】
【図１】（ａ）は本発明の実施形態の屈曲可能プロテクタをフレキシブルフラット回路体に装着した状態を示す斜視図、（ｂ）は同プロテクタを構成する１個のブロックに対してフレキシブルフラット回路体を係合させる箇所を示す斜視図である。
【図２】（ａ）はプロテクタを装着したフレキシブルフラット回路体を直線状に保ったときの側面図、（ｂ）は屈曲状態にしたときの側面図である。
【図３】（ａ）は従来のプロテクタの構成図、（ｂ）は同プロテクタのヒンジ部分の分解斜視図である。
【符号の説明】
【００２２】
１０：フレキシブルフラット回路体
１５：係止孔
１００：ブロック
１１０：本体
１１４：係合爪
１１５：突起
【図１】
2009060732.tif 000003
【図２】
2009060732.tif 000004
【図３】
2009060732.tif 000005